【手続補正書】
【提出日】平成15年11月21日(2003.11.21)
【手続補正１】
【補正対象書類名】明細書
【補正対象項目名】特許請求の範囲
【補正方法】変更
【補正の内容】
【特許請求の範囲】
【請求項１】
フレーム毎にＮシンボルからなる同期シンボルが挿入されるディジタル変調信号を復調する受信機に使用される自動周波数制御装置であって、
ディジタル変調信号をディジタル化するディジタル化手段と、
入力信号を１シンボル期間遅延させる１シンボル遅延器を直列接続した構成を有し、前記ディジタル化手段の出力から遅延信号を生成する遅延部と、
前記ディジタル化手段及び前記遅延部内の１シンボル遅延器の出力のうちＮ個の隣接した出力１〜Ｎを同期シンボルのＮ〜１番目のシンボルに対応するベクトルで逆変調する第１〜Ｎの逆変調器を具備する逆変調部と、
前記逆変調部から出力される逆変調ベクトルの収束度合の評価値を演算する逆変調ベクトル収束評価値演算部と、
前記逆変調ベクトル収束評価値演算部で演算された逆変調ベクトルの収束度合の評価値が予め定められた閾値より強くなったときを同期検出タイミングであると判定するタイミング判定手段と、
前記タイミング判定手段で同期検出タイミングであると判定されたときに、前記逆変調部から出力される逆変調ベクトルに基づいて周波数制御信号を生成する周波数制御信号生成手段を具備する自動周波数制御装置。
【請求項２】
フレーム毎にＮシンボルからなる同期シンボルが挿入されるディジタル変調信号を復調する受信機に使用される自動周波数制御装置であって、
ディジタル変調信号をディジタル化するディジタル化手段と、
入力信号を１シンボル期間遅延させる１シンボル遅延器を（Ｎ−１）段直列接続した構成を有し、前記ディジタル化手段の出力から１〜（Ｎ−１）シンボル期間遅延した信号を生成する遅延部と、
前記ディジタル化手段の出力を同期シンボルの最後尾シンボルに対応するベクトルで逆変調する第１の逆変調器、及び前記遅延部内の第１〜（Ｎ−１）段の１シンボル遅延器の出力を同期シンボルの（Ｎ−１）〜１番目のシンボルに対応するベクトルで逆変調する第２〜Ｎの逆変調器を具備する逆変調部と、
前記逆変調部から出力される逆変調ベクトルの収束度合の評価値を演算する逆変調ベクトル収束評価値演算部と、
前記逆変調ベクトル収束評価値演算部で演算された逆変調ベクトルの収束度合の評価値が予め定められた閾値より強くなったときを同期検出タイミングであると判定するタイミング判定手段と、
前記タイミング判定手段で同期検出タイミングであると判定されたときに、前記逆変調部から出力される逆変調ベクトルに基づいて周波数制御信号を生成する周波数制御信号生成手段を具備する自動周波数制御装置。
【請求項３】
前記周波数制御信号生成部が、
前記逆変調部の第１〜Ｎの逆変調器から出力されるＮ個の逆変調ベクトルを所定角の０〜（Ｎ−１）倍正方向に回転するＮ個のベクトル正回転器を具備するベクトル正回転手段と、
前記ベクトル正回転手段から出力される正回転ベクトルの収束度合の評価値を演算する正回転ベクトル収束評価値演算手段と、
前記逆変調部の第１〜Ｎの逆変調器から出力されるＮ個の逆変調ベクトルを所定角の０〜（Ｎ−１）倍負方向に回転するＮ個のベクトル負回転器を具備するベクトル負回転手段と、
前記ベクトル負回転手段から出力される負回転ベクトルの収束度合の評価値を演算する負回転ベクトル収束評価値演算手段と、
前記タイミング判定手段で同期検出タイミングであると判定されたときに、前記逆変調ベクトル収束評価値演算部、前記正回転ベクトル収束評価値演算手段及び前記負回転ベクトル収束評価値演算手段で演算された収束度合の評価値に基づいて周波数制御出力を判定する周波数制御出力判定手段と、を具備する請求項１または２に記載の自動周波数制御装置。
【請求項４】
前記逆変調ベクトル収束評価値演算部が、
前記逆変調手段中の隣接する２つの逆変調器の出力間の偏差を演算する（Ｎ−１）個の減算器を具備する偏差演算手段と、
前記偏差演算手段中の減算器の出力の絶対値を演算する（Ｎ−１）個の絶対値演算器を具備する絶対値演算手段と、
前記絶対値演算手段中の（Ｎ−１）個の絶対値演算器の出力を加算する加算手段を具備し、
前記正回転ベクトル収束評価値演算手段が、
前記ベクトル正回転手段中の隣接する２つのベクトル正回転器の出力間の偏差を演算する（Ｎ−１）個の減算器を具備する偏差演算手段と、
前記偏差演算手段中の減算器の出力の絶対値を演算する（Ｎ−１）個の絶対値演算器を具備する絶対値演算手段と、
前記絶対値演算手段中の（Ｎ−１）個の絶対値演算器の出力を加算する加算手段を具備し、
前記負回転ベクトル収束評価値演算手段が、
前記ベクトル負回転手段中の隣接する２つのベクトル負回転器の出力間の偏差を演算する（Ｎ−１）個の減算器を具備する偏差演算手段と、
前記偏差演算手段中の減算器の出力の絶対値を演算する（Ｎ−１）個の絶対値演算器を具備する絶対値演算手段と、
前記絶対値演算手段中の（Ｎ−１）個の絶対値演算器の出力を加算する加算手段を具備する請求項３に記載の自動周波数制御装置。
【請求項５】
前記逆変調ベクトル収束評価値演算部が、
前記逆変調手段中の（Ｎ−１）個の逆変調器から出力される逆変調ベクトルのベクトル平均値を演算するベクトル平均値演算手段と、
前記逆変調手段中の（Ｎ−１）個の逆変調器から出力される逆変調ベクトルと前記ベクトル平均値演算手段で演算されたベクトル平均値との偏差を演算する（Ｎ−１）個の減算器を具備する偏差演算手段と、
前記平均値ベクトル演算手段で演算されたベクトル平均値の２乗値を演算するベクトル平均値２乗値演算手段と、
前記偏差演算手段中の減算器で演算されたベクトル偏差の２乗値を演算する（Ｎ−１）個の２乗値演算器を具備するベクトル偏差２乗値演算手段と、
前記ベクトル偏差２乗値演算手段中の（Ｎ−１）個の２乗値演算器の出力の平均値を演算する平均値演算手段と、
前記平均値演算手段の出力を前記平均値ベクトル２乗値演算手段の出力で正規化する正規化手段を具備し、
前記正回転ベクトル収束評価値演算手段が、
前記ベクトル正回転手段中の（Ｎ−１）個のベクトル正回転器から出力される正回転ベクトルのベクトル平均値を演算するベクトル平均値演算手段と、
前記ベクトル正回転手段中の（Ｎ−１）個のベクトル正回転器から出力される正回転ベクトルと前記ベクトル平均値演算手段で演算されるベクトル平均値との偏差を演算する（Ｎ−１）個の減算器を具備する偏差演算手段と、
前記ベクトル平均値演算手段で演算されたベクトル平均値の２乗値を演算するベクトル平均値２乗値演算手段と、
前記偏差演算手段中の減算器で演算されたベクトル偏差の２乗値を演算する（Ｎ−１）個の２乗値演算器を具備するベクトル偏差２乗値演算手段と、
前記ベクトル偏差２乗値演算手段中の（Ｎ−１）個の２乗値演算器の出力の平均値を演算する平均値演算手段と、
前記平均値演算手段の出力を前記ベクトル平均値２乗値演算手段から出力されるベクトル平均値２乗値で正規化する正規化手段を具備し、
前記負回転ベクトル収束評価値演算手段が、
前記ベクトル負回転手段中の（Ｎ−１）個のベクトル負回転器から出力される負回転ベクトルのベクトル平均値を演算するベクトル平均値演算手段と、
前記ベクトル負回転手段中の（Ｎ−１）個のベクトル負回転器から出力される負回転ベクトルと前記ベクトル平均値演算手段で演算されるベクトル平均値との偏差を演算する（Ｎ−１）個の減算器を具備する偏差演算手段と、
前記ベクトル平均値演算手段で演算されたベクトル平均値の２乗値を演算するベクトル平均値２乗値演算手段と、
前記偏差演算手段中の減算器で演算されたベクトル偏差の２乗値を演算する（Ｎ−１）個の２乗値演算器を具備するベクトル偏差２乗値演算手段と、
前記ベクトル偏差２乗値演算手段中の（Ｎ−１）個の２乗値演算器の出力の平均値を演算する平均値演算手段と、
前記平均値演算手段の出力を前記ベクトル平均値２乗値演算手段から出力されるベクトル平均値２乗値で正規化する正規化手段を具備する請求項３に記載の自動周波数制御装置。
【請求項６】
前記逆変調ベクトル収束評価値演算部が、
前記逆変調手段中の（Ｎ−１）個の逆変調器から出力される逆変調ベクトルのベクトル平均を演算するベクトル平均演算手段と、
前記逆変調手段中の（Ｎ−１）個の逆変調器から出力される逆変調ベクトルと前記ベクトル平均演算手段で演算されたベクトル平均との偏差を演算する（Ｎ−１）個の減算器を具備する偏差演算手段と、
前記ベクトル平均値演算手段で演算されたベクトル平均値の２乗値を演算するベクトル平均値２乗値演算手段と、
前記偏差演算手段中の減算器で演算されたベクトル偏差の２乗値を演算する（Ｎ−１）個の２乗値演算器を具備するベクトル偏差２乗値演算手段と、
前記偏差ベクトル２乗値演算手段中の（Ｎ−１）個の２乗値演算器の出力の平均値を演算する平均値演算手段と、
前記平均値演算手段の出力を前記ベクトル平均値２乗値演算手段から出力されるベクトル平均値２乗値で正規化する正規化手段を具備し、
前記正回転ベクトル収束評価値演算手段が、
前記ベクトル正回転手段中の（Ｎ−１）個のベクトル正回転器から出力される正回転ベクトルと前記逆変調ベクトル収束評価値演算部のベクトル平均値演算手段で演算されるベクトル平均値との偏差を演算する（Ｎ−１）個の減算器を具備する偏差演算手段と、
前記偏差演算手段中の減算器で演算されたベクトル偏差の２乗値を演算する（Ｎ−１）個の２乗値演算器を具備するベクトル偏差２乗値演算手段と、
前記ベクトル偏差２乗値演算手段中の（Ｎ−１）個の２乗値演算器の出力の平均値を演算する平均値演算手段と、
前記平均値演算手段の出力を前記逆変調ベクトル収束評価値演算部のベクトル平均値２乗値演算手段で演算されたベクトル平均値２乗値で正規化する正規化手段を具備し、
前記負回転ベクトル収束評価値演算手段が、
前記ベクトル負回転手段中の（Ｎ−１）個のベクトル負回転器から出力される負回転ベクトルと前記逆変調ベクトル収束評価値演算部のベクトル平均値演算手段で演算されるベクトル平均値との偏差を演算する（Ｎ−１）個の減算器を具備する偏差演算手段と、
前記平均値ベクトル演算手段で演算されたベクトル平均値の２乗値を演算するベクトル平均値２乗値演算手段と、
前記偏差演算手段中の減算器で演算されたベクトル偏差の２乗値を演算する（Ｎ−１）個の２乗値演算器を具備するベクトル偏差２乗値演算手段と、
前記ベクトル偏差２乗値演算手段中の（Ｎ−１）個の２乗値演算器の出力の平均値を演算する平均値演算手段と、
前記平均値演算手段の出力を前記逆変調ベクトル収束評価値演算部の前記ベクトル平均値２乗値演算手段で演算されたベクトル平均値２乗値で正規化する正規化手段を具備する請求項３に記載の自動周波数制御装置。
【請求項７】
前記逆変調ベクトル収束評価値演算部が、
前記逆変調手段中の（Ｎ−１）個の逆変調器の出力ベクトルのベクトル平均値を演算するベクトル平均値演算手段と、
前記逆変調手段中の（Ｎ−１）個の逆変調器の出力ベクトルと前記ベクトル平均値演算手段で演算されたベクトル平均値との偏差を演算する（Ｎ−１）個の減算器を具備する偏差演算手段と、
前記ベクトル平均値演算手段で演算された平均値ベクトルの２乗値を演算するベクトル平均値２乗値演算手段と、
前記偏差演算手段中の減算器で演算されたベクトル偏差の２乗値を演算する（Ｎ−１）個の２乗値演算器を具備するベクトル偏差２乗値演算手段と、
前記ベクトル偏差２乗値演算手段中の（Ｎ−１）個の２乗値演算器の出力の平均値を演算する平均値演算手段と、
前記平均値演算手段の出力を前記平均値ベクトル２乗値演算手段の出力で正規化する正規化手段を具備し、
前記正回転ベクトル収束評価値演算手段が、
前記ベクトル正回転手段中の（Ｎ−１）個のベクトル正回転器から出力される正回転ベクトルと前記逆変調ベクトル収束評価値演算部のベクトル平均値演算手段で演算されるベクトル平均値との偏差を演算する（Ｎ−１）個の減算器を具備する偏差演算手段と、
前記偏差演算手段中の減算器で演算されたベクトル偏差の２乗値を演算する（Ｎ−１）個の２乗値演算器を具備するベクトル偏差２乗値演算手段と、
前記ベクトル偏差２乗値演算手段中の（Ｎ−１）個の２乗値演算器の出力の平均値を演算する平均値演算手段を具備し、
前記負回転ベクトル収束評価値演算手段が、
前記ベクトル負回転手段中の（Ｎ−１）個のベクトル負回転器から出力される負回転ベクトルと前記逆変調ベクトル収束評価値演算部のベクトル平均値演算手段で演算されるベクトル平均値との偏差を演算する（Ｎ−１）個の減算器を具備する偏差演算手段と、
前記偏差演算手段中の減算器で演算されたベクトル偏差の２乗値を演算する（Ｎ−１）個の２乗値演算器を具備するベクトル偏差２乗値演算手段と、
前記偏差ベクトル２乗値演算手段中の（Ｎ−１）個の２乗値演算器の出力の平均値を演算する平均値演算手段を具備する請求項３に記載の自動周波数制御装置。
【請求項８】
前記周波数制御信号生成部が、
前記逆変調部の第１〜Ｎの逆変調器から出力されるＮ個の逆変調ベクトルを所定角の０〜（Ｎ−１）倍正方向に回転するベクトル正回転手段と、
前記ベクトル正回転手段から出力される正回転ベクトルの収束度合の評価値を演算する正回転ベクトル収束評価値演算手段と、
前記逆変調部の第１〜Ｎの逆変調器から出力されるＮ個の逆変調ベクトルを所定角の０〜（Ｎ−１）倍負方向に回転するベクトル負回転手段と、
前記ベクトル負回転手段から出力される負回転ベクトルの収束度合の評価値を演算する負回転ベクトル収束評価値演算手段と、
前記逆変換ベクトル収束評価値演算部で演算された逆変換ベクトルの収束度合の評価値が前記正回転ベクトル収束評価値演算部で演算された正回転ベクトルの収束度合の評価値より弱いときは、前記ベクトル正回転手段及び前記正回転ベクトル収束評価値演算手段による処理を今回演算された正回転ベクトルの収束度合の評価値が前回演算された正回転ベクトル収束度合の評価値より強となるまで繰り返し、その後前記所定角の繰り返し回数倍した周波数増加信号を出力するベクトル正回転処理手段と、
前記逆変換ベクトル収束評価値演算部で演算された逆変換ベクトルの収束度合の評価値が前記負回転ベクトル収束評価値演算部で演算された負回転ベクトルの収束度合の評価値より弱いときは、前記ベクトル負回転手段及び前記負回転ベクトル収束評価値演算手段による処理を今回演算された負回転ベクトルの収束度合の評価値が前回演算された負回転ベクトル収束度合の評価値より強となるまで繰り返し、その後前記所定角の繰り返し回数倍した周波数減少信号を出力するベクトル負回転処理手段と、を具備する請求項１または２に記載の自動周波数制御装置。
【手続補正２】
【補正対象書類名】明細書
【補正対象項目名】００２２
【補正方法】変更
【補正の内容】
【００２２】
図９はベクトル回転器の作用説明図であって、正方向に回転する場合を示しており、１シンボル遅延部から出力される逆変調ベクトルを遅延が小であるほど大きく回転させる。
即ち遅延のないマッチドフィルタ４１の出力には第１のベクトル正回転器４７１１でベクトルｒN-1 (絶対値‘１、角度（Ｎ−１）×θ°のベクトル）を乗算し、第１段目の１シンボル遅延器４２１の出力には第２のベクトル正回転器４７１２でベクトルｒN-2 (絶対値‘１’、角度（Ｎ−２）×θ°のベクトル）を乗算する。以下同様に処理し、第（Ｎ−１）段目の１シンボル遅延器４２Ｎ−１の出力にはベクトルｒ0 （絶対値‘１’、角度０°のベクトル）を乗算する。


【手続補正３】
【補正対象書類名】明細書
【補正対象項目名】００２３
【補正方法】変更
【補正の内容】
【００２３】
ベクトル負回転器４７３１、４７３２・・・４７３Ｎでは、マッチドフィルタ４１及び（Ｎ−１）個の１シンボル遅延器４２１、４２２・・・４２Ｎ−１の出力ベクトルを遅延量に応じて負方向（時計回り）に回転する。
そして、正回転ベクトル収束評価値演算部４７２でベクトル正回転器４７１１〜４７１Ｎの出力ベクトルの収束度合の評価値Ｖ（Ｓ+ ）が演算され、負回転ベクトル収束評価値演算部４７４でベクトル負回転器４７３１〜４７３Ｎの出力ベクトルの収束度合の評価値Ｖ（Ｓ- ）が演算される。